(57)【特許請求の範囲】
【請求項１】
両側一対の半筒状カバ−部材の一側がヒンジを介して開閉自在に連結されると共に、同他側が係着部材を介して係着自在とされてなる電線補修用カバ−であって、上記ヒンジおよび係着部材は両側カバ−部材の長手方向に沿ってその中央部両側縁に各々内方突出状に形成された凹部内に設けられると共に、該各凹部はヒンジおよび係着部材を各々両側カバ−部材の中央部外周面レベル以下に没入せしめるべく所要の深さに形成されてなることを特徴とする、電線補修用カバ−。
【請求項２】
ヒンジは両側の連結部位に沿って折曲せしめるべくその中央部が厚肉状に形成されると共に、両側部が薄肉状に形成されてなることを特徴とする、請求項１記載の電線補修用カバ−。
【請求項３】
凹部はその内方突出端を補修すべき被覆電線の芯線露出部位に嵌合して両端の被覆部端面に掛止せしめるべく所要の長さに形成されてなることを特徴とする、請求項１または２記載の電線補修用カバ−。
【請求項４】
両側一対の半筒状カバ−部材には芯線が露出された被覆電線を挟着せしめるべく内周面に各々柔軟性を有する挟着材が設けられてなることを特徴とする、請求項１〜３のいずれか１項に記載の電線補修用カバ−。
【発明の詳細な説明】
【０００１】
【発明の属する技術分野】
本発明は、電線補修用カバ−に関し、さらに詳細には、バイパス工法により所要の架線工事を行なうべく露出せしめた被覆電線の芯線個所を工事終了後に補修せしめる、電線補修用カバ−に関する。
【０００２】
【従来の技術】
従来より、この種の電線補修用カバ−としては、例えば、特開平８−９８３６３号公報記載のものが知られており、これを図８及び図９に基づいて説明する。
即ち、同図中、５１は両端部が各々テ−パ状とされた所要の長さと径を有する両側一対の絶縁プラスチック製半筒状カバ−部材、５２は該各カバ−部材５１どうしを開閉自在に連絡せしめるべく長手方向に沿ってその一側に一体形成されたヒンジ、５３は該ヒンジ５２に対応すべく各カバ−部材５１の他側に沿って各々突設された一対の突片、５４は一方の突片５３の両端部に各々突設された係合片、５５は該各係合片５４に対応すべく他方の突片５３に形成された係合孔、５６は一方の突片５３一端に付設された摘み片で、該摘み片５６は捩切り自在とされている。５７は前記各カバ−部材５１の長手方向に沿ってその内周面に取付けられた絶縁混和物である。
【０００３】
そして、上述の如く構成された従来例は、ヤットコ等の間接活線工具（図示略）により摘み片５６を掴持せしめつつ架空配電線（図示略）にアプロ−チせしめ、露出せしめた被覆電線の芯線個所にセットせしめる。しかるのち、両側の突片５３を外側方より間接活線工具でもって把持せしめつつ挟圧し、係合片５４を係合孔５５に係合せしめて外嵌状に装着せしめる（図９参照）。そして、装着が完了した時点で摘み片５６を間接活線工具により把持しつつ捩切るとよい。
【０００４】
【発明が解決しようとする課題】
ところで、上述の如く構成された従来例は、被覆電線の補修個所に外嵌状に装着して有効に補修せしめることが出来る反面、図９に示すように、装着時にはヒンジ５２及び突片５３が各々カバ−部材５１の外周面レベル以上に外方へ突出した状態を呈するものである。このため、例えば、補修せしめた架空配電線の近くで建設作業等が行われている場合などにおいて、電線を防護せしめるべくポリ管を挿入せしめるさいには外方に突出したヒンジ５２や突片５３が邪魔となり、ポリ管のスム−ズな挿入がしずらく、極めて手間がかかるのみならず、非常に煩しいものとなっていた。
【０００５】
本発明は、かかる従来例の問題点を解決し、補修用カバ−としての機能を有効に発揮せしめることが出来るのみならず、ポリ管を極めてスム−ズに、しかも、迅速かつ確実に挿入せしめることが出来る電線補修用カバ−を提供しようとするものである。
【０００６】
【課題を解決するための手段】
即ち、請求項１記載の発明は、両側一対の半筒状カバ−部材の一側がヒンジを介して開閉自在に連結されると共に、同他側が係着部材を介して係着自在とされてなる電線補修用カバ−であって、上記ヒンジおよび係着部材は両側カバ−部材の長手方向に沿ってその中央部両側縁に各々内方突出状に形成された凹部内に設けられると共に、該各凹部はヒンジおよび係着部材を各々両側カバ−部材の中央部外周面レベル以下に没入せしめるべく所要の深さに形成されてなることを特徴とする、電線補修用カバ−を要旨とするものである。
【０００７】
請求項２記載の発明は、ヒンジは両側の連結部位に沿って折曲せしめるべくその中央部が厚肉状に形成されると共に、両側部が薄肉状に形成されてなることを特徴とする、請求項１記載の電線補修用カバ−を要旨とするものである。
【０００８】
請求項３記載の発明は、凹部はその内方突出端を補修すべき被覆電線の芯線露出部位に嵌合して両端の被覆部端面に掛止せしめるべく所要の長さに形成されてなることを特徴とする、請求項１または２記載の電線補修用カバ−を要旨とするものである。
【０００９】
請求項４記載の発明は、両側一対の半筒状カバ−部材には芯線が露出された被覆電線を挟着せしめるべく内周面に各々柔軟性を有する挟着材が設けられてなることを特徴とする、請求項１〜３のいずれか１項に記載の電線補修用カバ−を要旨とするものである。
【０００１０】
【発明の実施の形態】
以下に、本発明の実施の形態を図面に示す一実施例に基づいて説明する。
図１乃至図７は本発明の一実施例を示すもので、同図中、１は両端部が各々テ−パ状とされた所要の長さと径を有する両側一対の絶縁プラスチック製半筒状カバ−部材、２は該各カバ−部材１の両端開口径を調整せしめるべくテ−パ部位に形成された切断用環状溝、３は各カバ−部材１の長手方向に沿ってその中央部内側縁に各々内方突出状に対向形成された凹部で、該各凹部３は後述するヒンジ４および係合片５・係合孔６を各々両側カバ−部材１の中央部外周面レベル以下に没入せしめるべく所要の深さに形成されると共に、後述する被覆電線１２の露出芯線１４部位に嵌合して両端の被覆部１３端面に掛止せしめるべく所要の長さと内方突出長を有するものとされている。４は前記カバ−部材１をその一側縁に沿って開閉自在に連結せしめるべくその一側の凹部３内に没入状に一体形成された略帯状のヒンジで、該ヒンジ４は図６及び図７に示すように、両側の連結部位に沿って折曲せしめるべくその中央部が肉厚状に形成されると共に、両側部が薄肉状に形成されてなり、閉作動時にはヒンジ４が各カバ−部材１の中央部外周面レベル以下に没入するものとされている。５・６は前記ヒンジ４に対応すべくカバ−部材１の他側の凹部３内に没入状に形成された係合片と係合孔、７・８は該係合片５および係合孔６と各々同側上に位置すべくカバ−部材１の一側面端面に各々形成された補助係合片と補助係合孔で、該補助係合片７と補助係合孔８は各々カバ−部材１の外周面レベル以下に没入するものとされている。９は図２に示すように、前記各カバ−部材１の長手方向の内周面に沿って湾曲状に各々対向して取付けられた柔軟性を有する挟着材で、該挟着材９はブチルゴム等の柔軟性を有する材質により形成されている。１０は各カバ−部材１の一側に各々取付けられたシ−ル材、１１は一方のカバ−部材１の一端に付設された摘み片で、該摘み片１１は捩切り自在とされている。
その他、１２は架空配電線を構成する被覆電線、１３は該被覆電線１２の被覆部、１４は所要の長さに露出せしめた同芯線、１５はポリ管を示す。
【００１１】
上述の如く構成された実施例は、従来例と同様に、ヤットコ等の間接活線工具（図示略）により摘み片１１を掴持せしめつつ架空配電線にアプロ−チせしめ、露出せしめた被覆電線１２の芯線１４個所にセットせしめる。しかるのち、両側のカバ−部材１を外方より間接活線工具でもって把持せしめつつ閉作動せしめ、係合片５と補助係合片７を各々対応する係合孔６および補助係合孔８に係合せしめることにより外嵌状に装着せしめ、のち、間接活線工具により把持しつつ摘み片１１を捩切る。このさい、ヒンジ４は凹部３内に没入状に形成されると共に、両側の薄肉部位を中心として折曲せしめられているから、カバ−部材１の閉作動時においてもその外周面レベル以下に位置せしめられている。また、係合片５および係合孔６は各々凹部３内に形成され、補助係合片７および補助係合孔８は各々カバ−部材１の側端面に形成されているから、ヒンジ４と同様にカバ−部材１の外周面レベル以下に位置せしめられている。さらに、各凹部３は内方突出状に形成されているから、図３・図６・図７に各々示すように、その内方突出端が被覆電線１２の芯線１４部位に嵌合して被覆部１３両端に掛止し、挟着材９の挟着とも相まって被覆電線１２の横滑りを確実に防止せしめ、被覆電線１２の補修を常に確実に行なうことが出来る。また、挟着材９は柔軟性を有するものとされているから、外径の異なる被覆電線１２にも充分に対応せしめて確実に挟着せしめることが出来る。
【００１２】
そして、被覆電線１２の補修が完了すると、図３乃至図７に示すように、被覆電線１２の補修個所にポリ管１５を挿入せしめ、被覆電線１２を確実に防護せしめる。このさい、前述の如く、ヒンジ４と係合片５・補助係合片７および係合孔６・補助係合孔８は各々カバ−部材１の外周面レベル以下に没入せしめられているから、ポリ管１５挿入時の邪魔となることがなく、常にポリ管１５の挿入を極めてスム−ズに、しかも、迅速かつ確実に行なうことが出来る。
【００１３】
なお、上記実施例において、カバ−部材１を係着せしめる係着部材として係合片５・係合孔６のみならず、補助係合片７・補助係合孔８が各々形成されているが、これに限定されるものではなく、必要に応じて係合片５・係合孔６のみを形成せしめてもよいものである。
【００１４】
【発明の効果】
請求項１記載の発明によれば以上の次第で、両側一対の半筒状カバ−部材の一側がヒンジを介して開閉自在に連結されると共に、同他側が係着部材を介して係着自在とされてなる電線補修用カバ−であって、上記ヒンジおよび係着部材は両側カバ−部材の長手方向に沿ってその中央部両側縁に各々内方突出状に形成された凹部内に設けられると共に、該各凹部はヒンジおよび係着部材を各々両側カバ−部材の中央部外周面レベル以下に没入せしめるべく所要の深さに形成されているから、被覆電線の補修を確実に行なうことが出来るのみならず、カバ−部材の閉作動時においてもヒンジと係着部材を常に両側カバ−部材の中央部外周面レベル以下に没入せしめることが出来るものであって、ひいては、ポリ管を挿入せしめるさいにおいても従来例のように邪魔となることがなく、常にポリ管を極めてスム−ズに、しかも、迅速、かつ確実に挿入せしめることが出来るものである。
【００１５】
請求項２記載の発明によれば以上の次第で、ヒンジは両側の連結部位に沿って折曲せしめるべくその中央部が厚肉状に形成されると共に、両側部が薄肉状に形成されているからカバ−部材を閉作動せしめるさいには両側の薄肉部位を中心として折曲せしめることが出来るものであって、ひいては、常にヒンジを両側カバ−部材の外方に突出せしめることなくコンパクトに凹部内に折曲没入せしめることが出来るものである。
【００１６】
請求項３記載の発明によれば以上の次第で、凹部はその内方突出端を補修すべき被覆電線の芯線露出部位に嵌合して両端の被覆部端面に掛止せしめるべく所要の長さに形成されているから、両側カバ−部材を閉作動せしめたさいには凹部の内方突出端が露出状の芯線部位に嵌合し、被覆部両端に掛止せしめることが出来るものであって、挟着材の挟着とも相まって被覆電線の横滑りを確実に防止せしめることが出来るものである。
【００１７】
請求項４記載の発明によれば以上の次第で、両側一対の半筒状カバ−部材には芯線が露出された被覆電線を挟着せしめるべく内周面に各々柔軟性を有する挟着材が設けられているから、外径の異なる被覆電線にも充分に対応せしめて確実に挟着せしめることが出来るものである。
【図面の簡単な説明】
【図１】0  本発明の一実施例を示す開いた状態の平面図である。
【図２】  本発明の一実施例を示す開いた状態の側面図である。
【図３】  実施例のカバ−部材１を閉作動せしめて被覆電線１２に装着せしめると共に、ポリ管１５を挿入せしめる状態を示す正面図である。
【図４】  図３のＡ−Ａ線に沿う断面図である。
【図５】  図３のＢ−Ｂ線に沿う断面図である。
【図６】  図３のＣ−Ｃ線に沿う断面図である。
【図７】  図３のＤ−Ｄ線に沿う断面図である。
【図８】  従来例の開いた状態を示す平面図である。
【図９】  従来例の閉じた状態を示す側面図である。
【符号の説明】
１    カバ−部材
３    凹部
４    ヒンジ
５    係合片
６    係合孔
９    挟着材
１２  被覆電線
１３  被覆部
１４  芯線
１５  ポリ管
【図１】
0004398583.tif 000002
【図２】
0004398583.tif 000003
【図３】
0004398583.tif 000004
【図４】
0004398583.tif 000005
【図５】
0004398583.tif 000006
【図６】
0004398583.tif 000007
【図７】
0004398583.tif 000008
【図８】
0004398583.tif 000009
【図９】
0004398583.tif 000010